(57)【要約】【課題】  非接触式の静電容量式スイッチを備える加熱調理器について、クリック感を追加できる加熱調理器を提供する。【解決手段】  本体２の上面に配置したプレート３を備え、プレート３の下方に被加熱物である鍋を加熱する加熱手段２５を備え、プレート３に加熱手段２５の加熱条件を設定する上面操作部９を備え、上面操作部９は、プレート３の下方に静電容量の変化を検出する電極３６を備え、プレート３の上面に電極３６と対向する位置に凸部からなる空間７８を形成した操作部カバー７７を備えたものである。【選択図】  図５
2014120413.tif 000002
【特許請求の範囲】
【請求項１】
本体の上面に配置したプレートと、
該プレートの下方に配置され、前記プレートに載置された被加熱物である鍋を加熱する加熱手段と、
前記プレートの前寄りに配置され、前記加熱手段の加熱条件を設定する上面操作部と、を備えた加熱調理器であって、
前記上面操作部は、
前記プレートの下面に配置され、静電容量の変化を検出する電極と、
前記プレートの上面に配置され、前記電極と対向する位置では前記プレートから隔離し、使用者が押下することで前記プレートに接触する凸部を形成した操作部カバーと、を有することを特徴とする加熱調理器。
【請求項２】
請求項１に記載の加熱調理器において、
前記操作部カバーは、前記凸部の一部に貫通孔を形成したことを特徴とする加熱調理器。
【請求項３】
請求項１または２に記載の加熱調理器であって、
前記操作部カバーの前記凸部には撥水加工が施されていることを特徴とする加熱調理器。
【発明の詳細な説明】
【技術分野】
【０００１】
本発明は、加熱条件を設定するタッチキーを備えた加熱調理器に関するものである。
【背景技術】
【０００２】
従来の加熱調理器は、本体上面に配置されたプレートに被加熱物である鍋を載置し、この鍋をプレート下方の本体内に設けられた加熱コイルにより加熱するものであり、プレートの前面側上部には加熱コイルの火力や加熱時間を設定する操作部が配置されている。
【０００３】
この操作部は、清掃性を良くするために凸凹の少ない構造が好まれ、静電容量の変化から入力操作を検出する非接触式の静電容量式スイッチで凸凹のない操作キーを構成するものがある（特許文献１）。
【先行技術文献】
【特許文献】
【０００４】
【特許文献１】特開２００９−９３８５１
【発明の開示】
【発明が解決しようとする課題】
【０００５】
特許文献１に示す加熱調理器では、操作部が非接触式の静電容量式スイッチであり凹凸が無いため、操作時のクリック感がなく操作性に劣るという問題があった。
【課題を解決するための手段】
【０００６】
本発明は、上記の問題を解決するためになされたものであり、本体の上面に配置したプレートと、該プレートの下方に配置され、前記プレートに載置された被加熱物である鍋を加熱する加熱手段と、前記プレートの前寄りに配置され、前記加熱手段の加熱条件を設定する上面操作部と、を備えた加熱調理器であって、前記上面操作部は、前記プレートの下面に配置され、静電容量の変化を検出する電極と、前記プレートの上面に配置され、前記電極と対向する位置では前記プレートから隔離し、使用者が押下することで前記プレートに接触する凸部を形成した操作部カバーと、を有する。
【発明の効果】
【０００７】
本発明によれば、非接触式の静電容量方式のスイッチを備えた加熱調理器にクリック感を付加することができる。
【図面の簡単な説明】
【０００８】
【図１】一実施例の誘導加熱調理器をシステムキッチンに収納した状態の斜視図である。
【図２】同誘導加熱調理器のプレートを外した状態を示す説明図である。
【図３】同誘導加熱調理器の側面から見た主要断面図である。
【図４】同誘導加熱調理器の上面操作部の説明図である。
【図５】同誘導加熱調理器の操作部カバーの説明図である。
【図６】同誘導加熱調理器の操作部カバーの動作の説明図である。
【発明を実施するための形態】
【０００９】
以下、本発明の一実施例を図１〜図６に従って説明する。尚、本実施例は、キッチンに嵌め込むビルトイン型の他にキッチンに載置する据置型の加熱調理器であっても差し支えない。
【００１０】
図１に示すように、加熱調理器の本体２は、システムキッチン１の上面から落とし込んで設置することで組み込まれる。被加熱物である鍋（図示せず）は、本体２の上面に配置された耐熱ガラス等からなるプレート３の載置部６に載置される。本実施例では、載置部６は、載置部右６ａ、載置部左６ｂ、載置部中央６ｃからなる。各載置部６の下方には鍋を加熱する加熱手段である加熱コイルユニット２５が設置されている。本実施例では、各載置部６の下方の加熱コイルユニット２５を、加熱コイルユニット右２５ａ、加熱コイルユニット左２５ｂ、加熱コイルユニット中央２５ｃと称する。
【００１１】
プレート３の周囲端面には、プレート３を保護するためにフレーム１４が設けられている。このフレーム１４は、プレート３の手前の上端縁に取り付けられるフレーム前１４ａと、プレート３の後方上端縁に取り付けられるフレーム後１４ｂと、右側上端縁に取り付けられるフレーム右１４ｃと、左側上端縁に取り付けられるフレーム左１４ｄとで構成されている。
【００１２】
本体２の内部には、加熱コイルユニット２５や制御回路を構成する電子部品が設けられており、この加熱コイルユニット２５や制御回路の後方には、これらを冷却するための送風ファン２０と、本体２の外部から空気を吸込むための吸気口７及び冷却後の排気を排出する排気口８が設けられている。この吸気口７で吸入した空気は、本体２の内部で発熱する後述する加熱コイルユニット２５や電子部品を冷却した後に排気口８から本体２外に排出される。なお、本体２の左側には、魚やピザなどを焼くためのロースター４が設けられている。
【００１３】
次に、加熱コイルユニット２５について説明する。この加熱コイルユニット２５は、加熱コイル１３、コイルベース２４、フェライト（図示せず）から構成されている。そして、プレート３と加熱コイルユニット２５との間には一定の隙間が設けられ、この隙間に送風ファン２０からの冷却風の一部を流して、プレート３の裏面と加熱コイルユニット２５を冷却している。
【００１４】
加熱コイル１３の巻線は表皮効果を抑制するためリッツ線を採用している。この加熱コイル１３には調理鍋（図示せず）を加熱するために後述するインバータ基板（左右インバータ基板１８、中央インバータ基板１７）から数十ｋＨｚ、数百Ｖの電圧が印加される。コイルベース２４は、加熱コイル１３を下から固定すると共に、フェライト（図示せず）が略放射状に埋設されている。また、加熱コイル１３の略中央部の空間には、自動調理時など鍋の温度を検知する温度検知素子２１が取付けられている。
【００１５】
次に、加熱コイル１３とインバータ基板の冷却について説明する。インバータ基板は、左右の加熱コイル１３ａ、１３ｂを駆動するインバータ回路を搭載した左右インバータ基板１８と、加熱コイル中央１３ｃを駆動する中央インバータ基板１７とで構成されている。
【００１６】
この左右インバータ基板１８、中央インバータ基板１７は基板ケース２６内に配置され、電子部品で発熱した熱を効率よく送風ファン２０からの冷却風と熱交換して温度を下げるように放熱フィン２２、２３が設けられしている。
【００１７】
送風ファン２０により吸気口７から吸込まれた冷却用の外気は、基板ケース２６内を通流し、左右インバータ基板１８や中央インバータ基板１７、制御回路を搭載した制御基板１９の電子部品から熱を奪った後、基板ケース２６から吹き出て、各加熱コイル１３や本体２内のその他の部品やプレート３の裏面を冷却した後に排気口８から外部に排出する。
【００１８】
基板ケース２６は、ロースター４が設置されている加熱コイルユニット左２５ｂとは反対の加熱コイルユニット右２５ａの下方に設置されている。本実施例では加熱コイルユニット右２５ａの下側に設置され、中に左右インバータ基板１８、中央インバータ基板１７を配置することで調理時に加熱コイル１３やロースター４からのふく射熱を遮り、また、内部に冷却用空気が効率よく行き渡るように冷却用空気が通る風路が形成されている。
【００１９】
次に操作部と表示部について図２、図４、図５を用いて説明する。
【００２０】
上面操作部９は静電容量式の変化を検出するタッチキーによって構成されている。具体的には、プレート３の下方には指を触れた時の静電容量の変化を検出する後述する電極３６を備えた操作基板１２から構成されている。
【００２１】
キー部とは、上面操作部９に設けられた切／スタートキー４８・５６・６１、とろ火キー４９ａ・５７ａ、弱火キー４９ｂ・５７ｂ、中火キー４９ｃ・５７ｃ、強火キー４９ｄ・５７ｄ、メニューキー５２・６０・６４などを示す。
【００２２】
上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして各上面操作部９の上側には上面表示部右１０ａ、上面表示部中央１０ｃ、上面表示部左１０ｂからなる上面表示部１０が設けられている。
【００２３】
上面表示部１０は、表示ホルダ３２によってプレート３に押さえられ、中央部には、表示部に文字等を表示する駆動回路を含んだ表示基板３３を固定している。
【００２４】
次に、鍋への加熱条件を設定する上面操作部９（代表して上面操作部右９ａ）の各キー部について説明する。
【００２５】
４８は調理の開始や停止するための切／スタートキーで、調理中は切／スタートキー４８のキー部の表示された「切／スタート」が点灯する。キー部の点灯についての詳細は後述する。
【００２６】
調理の火力は火力キー４９によって選択する。この火力キー４９は、「とろ火」、「弱火」、「中火」、「強火」の四段階のキーに分かれ、必要な火力を一回の操作で設定できるようになっている。四段階の火力キー４９のうち、とろ火キー４９ａは「１」、弱火キー４９ｂは「４」、中火キー４９ｃは「７」、強火キー４９ｄは「１０」の火力に設定でき、設定したキー部の表示が点灯する。
【００２７】
５１は主に煮込みや保温などタイマー調理を実施するときに選択するタイマーキーである。５２は自動調理の炊飯、揚げもの、湯沸し等を選択するメニューキーで、これを押す（指で接触する）ことで上面表示部１０にメニューが表示され、メニューキー５２を押すたびに表示されているメニューが切り替わり、これによって使用するメニューを選択する。
【００２８】
また、火力の調節やタイマー調理時の時間の設定、炊飯時における米の量の設定、自動調理の仕上がり調整の設定、揚げものをする時の油温の設定を設定キー５０により行うことができる。この設定キー５０は、設定時の数量などを増やすＵＰキー５０ａと減らすＤＯＷＮキー５０ｂからなっている。
【００２９】
なお、上面操作部左９ｂは上面操作部右９ａと同じ操作、配列であるので説明を省略する。
【００３０】
次に上面操作部中央９ｃについて説明する。載置部中央６ｃの主な調理は保温や煮込みである。従って、加熱コイル中央１３ｃの火力も他の加熱コイルの火力よりも小さく設計されている。このため火力表記は、とろ火、弱火、中火の三段階で足り、設定キー６２をサイクリック式としても、最大３回押せば元に戻るので、手前２つの加熱コイルユニット２５ａ、２５ｂのように火力毎に対応した火力設定キーを設けていない。
【００３１】
前記した上面操作部９の各入力キーとなる静電容量の変化を検出するための電極は、プレート３の下面に配置された操作基板１２に設けられている。
【００３２】
操作基板１２は、操作基板１２ａと操作基板１２ｂとに別れ、操作基板１２ａは上面操作部右９ａと上面操作部中央９ｃに、操作基板１２ｂは上面操作部左９ｂに対応している。
【００３３】
そして、操作基板１２の上面には、上面操作部９の各キー部を指で触れたことによる静電容量の変化を検出する電極３６を設ける。電極３６で検出した静電容量の変化を制御回路（図示せず）で判定できるデジタル信号に変換する検出回路用の集積回路３７は電極３６とは離して設けている。
【００３４】
図７に示すように、上面操作部９の上部には、着脱自在な操作部カバー７７を取り付けることができる。操作部カバー７７は、プレート３の上面にプレート３との間に操作キーごとに対応した凸部からなる空間７８を形成する形状をしており、プレート３の下面の電極３６と対向する位置では、プレート３から隔離する形状となっている。使用者が操作部カバー７７の凸部を押下すると、撓んだ操作部カバー７７がプレート３に接触する。ここで、本実施例では、操作部カバー７７を導電性の材料で形成したので、電極３６は、プレート３、操作部カバー７７を介して使用者の操作を検出することができる。
【００３５】
なお、この操作部カバー７７は成型が容易な樹脂等で作ることでき、操作部カバー７７には、上方から押した時に空間内の空気を押し出すことのできる微小な貫通穴７９を設けても良い。また、操作部カバー７７の上面（少なくとも凸部）には、シリコン塗布等の撥水加工を施しても良い。これにより、操作部カバー７７に吹き零れた水滴等が付着しても、操作部カバー７７上からプレート３に水滴等を排出できるため、電極３６は使用者の操作を正確に検出することができる。
【００３６】
また、図２において、３４は基板間を接続するケーブルである。制御基板１９に組み込まれた制御回路は、上面操作部９で設定された内容及び事前に組み込まれた自動調理などのプログラムに基づき、調理の開始、停止、火力の設定情報を制御信号として左右インバータ基板１８や中央インバータ基板１７に送り、加熱コイル１３などを制御する。なお、同時に送風ファン２０の制御も行い、調理中は送風ファン２０を動作させる。
【００３７】
本実施例は以上の構成よりなるもので、次にその動作について説明する。製品本体の主電源（図示せず）をオンすると、上面操作部９が操作可能になる。主電源オン後、操作可能であるキーは、火力キー４９ａ〜４９ｄ、５７ａ〜５７ｄ、切／スタートキー４８、５６、６１、メニューキー５２、６０、６４などであり、使用者は、操作部カバー７７の上方から希望の操作ができるキーを押すことで、製品の使用を始めることができる。このとき、空間７８が圧縮され反発力によってクリック感を得られるとともに、静電容量が大きく変化する（図６）。その静電容量変化を電極３６が検出して制御回路で判定することで製品の使用を始めることができる。
【００３８】
以上説明したように、本実施例によれば、プレート３の上面にプレート３との間に操作キーごとに対応した空間を形成する操作部カバー７７を着脱自在に上面操作部９に取り付けることで、クリック感がない非接触式の静電容量方式のスイッチを備えた加熱調理器においても、クリック感を追加することができる。また、操作部カバー７７は着脱自在であるので、操作部カバー７７を着けずに使用することもできる。
【００３９】
また、操作部カバー７７に撥水加工を施すことによって、操作部カバー７７の凸部に水が留まるのを防止することができ、使用者の操作を性格に電極３６に伝達することができる。
【符号の説明】
【００４０】
２    本体
３    プレート
９    上面操作部
１２  操作基板
１３  加熱コイル
２５  加熱手段
３６  電極
７７  操作部カバー
７８  空間
７９  貫通穴
８１  静電容量
【図１】
2014120413.tif 000003
【図２】
2014120413.tif 000004
【図３】
2014120413.tif 000005
【図４】
2014120413.tif 000006
【図５】
2014120413.tif 000007
【図６】
2014120413.tif 000008